(57)【要約】【課題】従来の床暖房用ヒータパネルと比較して、サーモスタットの断続による加熱変動の不快感を少なくすることができ、さらに電磁波の発生も少なくすることのできる床暖房用ヒータパネルを提供する。【解決手段】木質基材１１の裏面に電源線１，２と電源線に接続するヒータ回路を組み込んでなる床暖房用ヒータパネル１０において、ヒータ回路を、それぞれにサーモスタット６を備えた２つ以上の独立したヒータ回路で構成し、各独立したヒータ回路を電源線に並列接続する。【選択図】図１
2010151408.tif 000002
【特許請求の範囲】
【請求項１】
木質基材の裏面に電源線と前記電源線に接続するヒータ回路を組み込んでなる床暖房用ヒータパネルであって、前記ヒータ回路は、それぞれにサーモスタットを備えた２つ以上の独立したヒータ回路からなり、各独立したヒータ回路は前記電源線に並列接続していることを特徴とする床暖房用ヒータパネル。
【請求項２】
各独立したヒータ回路は等しい発熱量を持つことを特徴とする請求項１に記載の床暖房用ヒータパネル。
【請求項３】
床暖房用ヒータパネルは長手方向に等しく分割された２つ以上のゾーンを持ち、前記２つ以上のゾーンのいずれか１つまたは２つ以上、またはすべてに前記独立したヒータ回路が配置されていることを特徴とする請求項２に記載の床暖房用ヒータパネル。
【請求項４】
床暖房用ヒータパネルは長手方向に等しく分割された４つのゾーンを持ち、各ゾーンには前記独立したヒータ回路が配置されていることを特徴とする請求項３に記載の床暖房用ヒータパネル。
【発明の詳細な説明】
【技術分野】
【０００１】
本発明は、木質基材の裏面に電源線と前記電源線に接続するヒータ回路を組み込んでなる床暖房用ヒータパネルに関する。
【背景技術】
【０００２】
木質基材の裏面に電源線と前記電源線に接続するヒータ回路を組み込んでなる床暖房用ヒータパネルは知られており、床暖房用ヒータパネルの複数枚を電気的に接続しながら床下地面に敷き詰めて電気式床暖房フロアとされる（特許文献１，２等参照）。
【０００３】
【特許文献１】特開２００８−１５７６１１号公報
【特許文献２】特開２００７−１７０７０８号公報
【発明の開示】
【発明が解決しようとする課題】
【０００４】
従来の床暖房用ヒータパネルは、最も一般的には、ほぼ１８１８×３０３ｍｍの長方形状のものであり、床暖房用ヒータパネルを構成する木質基材の裏面に電源線と、該電源線に直列に接続するようにして、サーモスタットを備えた１つのヒータ回路が組み込まれている。従来の床暖房用ヒータパネルの場合、熱閉塞によりサーモスタットが作動したときに、ヒータ回路への電源供給は切断され、当該床暖房用ヒータパネルの全域において、加熱が中断する。そのために、使用者は不快感を持つ場合がある。また、床暖房用ヒータパネルにも、ヒータ回路から発生する電磁波を低減することも求められている。
【０００５】
さらに、床暖房を施工するフロアによっては、床暖房用ヒータパネルの全面にヒータ回路を配置したいわゆる全面ヒータパネルと、床暖房用ヒータパネルの半面にのみヒータ回路を配置したいわゆる半面ヒータパネルの双方が用いられる場合があるが、全面ヒータと半面ヒータではワット密度が異なるため、別々の抵抗値の異なるヒータ線を用意することが必要となる場合もあった。
【０００６】
本発明は、上記の事情に鑑みてなされたものであり、従来の床暖房用ヒータパネルと比較して、サーモスタットの断続による加熱変動の不快感を少なくすることができ、さらに電磁波の発生も少なくすることのできる床暖房用ヒータパネルを提供することを第１の課題とする。また、全面ヒータパネルと半面ヒータパネルにおいて、ヒータ線を共通化することのできる構成を備えた床暖房用ヒータパネルを提供することを第２の課題とする。
【課題を解決するための手段】
【０００７】
本発明による床暖房用ヒータパネルは、木質基材の裏面に電源線と前記電源線に接続するヒータ回路を組み込んでなる床暖房用ヒータパネルであって、前記ヒータ回路は、それぞれにサーモスタットを備えた２つ以上の独立したヒータ回路からなり、各独立したヒータ回路は前記電源線に並列接続していることを特徴とする。
【０００８】
上記の床暖房用ヒータパネルでは、１枚の床暖房用ヒータパネルのいずれかの箇所において熱閉塞が発生したときに、そこに最も近い位置にあるサーモスタットが作動し、当該サーモスタットを備えた独立したヒータ回路のみが給電断の状態となり、他の独立したヒータ回路には給電が継続して暖房状態がそのまま維持される。すなわち、本発明による床暖房用ヒータパネルでは、サーモスタットの作動でヒータがＯＮ／ＯＦＦするのは、１枚の床暖房用ヒータパネルの限られた領域のみとなり、使用者がヒータのＯＮ／ＯＦＦによって不快を感じる程度を、従来の床暖房用ヒータパネルと比較して、大きく低減することができる。
【０００９】
また、本発明による床暖房用ヒータパネルでは、１枚の床暖房用ヒータパネルに流れる総電流量は複数の独立したヒータ回路に分割されるので、各独立したヒータ回路を流れる電流量は、従来の１回路構成のヒータ回路を持つ床暖房用ヒータパネルと比較して小さな値となり、電磁波発生量も抑制できる。
【００１０】
本発明による床暖房用ヒータパネルの好ましい態様では、前記各独立したヒータ回路は等しい発熱量を持つようにされる。より具体的には、各独立したヒータ回路でのヒータ線として、単位長さ当たりの抵抗値が等しくかつ長さの等しいヒータ線を用いる。この態様では、１枚の床暖房用ヒータパネル内において、ほぼ均等な加熱状態を得ることができ、また、ヒータ線も同じものを共通に使用することができる。
【００１１】
１つの具体例として、本発明による床暖房用ヒータパネルは、長手方向に等しく分割された２つ以上のゾーンを持ち、前記２つ以上のゾーンのいずれか１つまたは２つ以上、またはすべてに前記独立したヒータ回路が配置されていることを特徴とする。
【００１２】
上記のように、本発明による床暖房用ヒータパネルでは、２つ以上の独立したヒータ回路で全体のヒータ回路を構成するようにしており、並列接続した各独立したヒータ回路のヒータ長さを等しくすることで、ヒータ線のワット密度を同じくすることができる。すなわち、前記のようにヒータ線の共用化が可能となる。そのために、同じヒータ線を用いて加熱領域の異なる複数種の床暖房用ヒータパネル、例えばヒータ４分割パネルやヒータ２分割パネルを容易に製造することが可能となり、床暖房の施工現場の状況に合わせて、最
も好適な床暖房フロアを施工することが容易となる。
【発明の効果】
【００１３】
本発明によれば、従来の床暖房用ヒータパネルと比較して、サーモスタットの断続による加熱変動の不快感を少なくすることができ、さらに電磁波の発生も少なくすることのできる床暖房用ヒータパネルが得られる。また、全面ヒータパネルと半面ヒータパネル等、加熱領域の異なる複数種の床暖房用ヒータパネルにおいて、ヒータ線を共通化することが可能となる。
【発明を実施するための最良の形態】
【００１４】
以下、図面を参照しながら、本発明を実施の形態により説明する。図１および図２は、本発明による床暖房用ヒータパネルのヒータ回路を説明するための２つ図であり、図３および図４は、本発明による床暖房用ヒータパネルの２つの例を断面で示す図である。
【００１５】
図１に示す床暖房用ヒータパネル１０は、木質基材１１が長手方向に４つのゾーンａ，ｂ，ｃ，ｄに分けられており、各ゾーンの面積はほぼ等しくされている。ゾーンａとゾーンｂの間には、短手方向に電源線用の溝が形成されており、そこに従来知られたようにして２本の電源線１，２が配線されている。各電源線の両端には雌雄のコネクタ３，４が接続されている。また、各ゾーンには、後記するヒータ線５およびリード線７のための溝が
形成されている。
【００１６】
各ゾーンａ，ｂ，ｃ，ｄには、単位長さ当たりの抵抗値が等しくかつ長さの等しいヒータ線５ａ，５ｂ，５ｃ，５ｄが、各ゾーン内をほぼ均等に走るようにして配置されており、各ヒータ線５ａ，５ｂ，５ｃ，５ｄの一方端は、前記電源線１，２にリード線を介して接続し、他方端はサーモスタット６ａ，６ｂ，６ｃ，６ｄおよびリード線を介して、前記電源線１，２の他方に接続している。
【００１７】
具体的には、ゾーンａでは、ヒータ線５ａの一端はリード線７ａを介して電源線２に接続し、他端はリード線７ａ、サーモスタット６ａおよびリード線７ａを介して電源線１に接続している。ゾーンｂでは、ヒータ線５ｂの一端はリード線７ｂを介して電源線１に接続し、他端はリード線７ｂ、サーモスタット６ｂおよびリード線７ｂを介して電源線２に接続している。
【００１８】
さらに、ゾーンｃでは、ヒータ線５ｃの一端はリード線７ｃを介して電源線１に接続し、他端はリード線７ｃ、サーモスタット６ｃおよびリード線７ｃを介して電源線２に接続している。ゾーンｄでは、ヒータ線５ｄの一端はリード線７ｄを介して電源線１に接続し、他端はリード線７ｄ、サーモスタット６ｄおよびリード線７ｄを介して電源線２に接続している。
【００１９】
すなわち、この態様の床暖房用ヒータパネル１０では、木質基材１１の裏面に電源線１，２に接続する４つの独立したヒータ回路が組み込まれており、また、各独立したヒータ回路はサーモスタット６ａ〜６ｄを備えており、各独立したヒータ回路は電源線１，２に並列接続している。そして、各ヒータ回路の発熱量は等しくされている。
【００２０】
図２に示す床暖房用ヒータパネル１０Ａは、前記ゾーンａとゾーンｂに、図１に示した床暖房用ヒータパネル１０と同じようにして、ヒータ回路が形成されているが、ゾーンｃとゾーンｄには、ヒータ回路が形成されていない。なお、図２において、図１におけると同じ部材には同じ符号を付しており、説明は省略する。すなわち、図１に示す床暖房用ヒータパネル１０はヒータ４分割の全面ヒータパネルであり、図２に示す床暖房用ヒータパネル１０Ａはヒータ２分割の半面ヒータパネルである。
【００２１】
本発明による床暖房用ヒータパネルにおけるその他の構成は任意であり、特に制限はない。図３はその一例を示し、図示される床暖房用ヒータパネル１０において、前記した木質基材１１は、周囲に雄実１２と雌実１３が形成された長尺状の単位ピース１４が組み付けられて、１つの木質基材１１とされている。各単位ピース１４は合板もしくは表層に極薄のＭＤＦが練り合わされた合板からなる複合基材であり、各単位ピース１４の表面には突板または化粧シート等の表面化粧材（不図示）が好ましくは積層される。各単位ピース１４の裏面には、前記した電源線１，２のための凹溝が形成され、また、前記した各ゾーンａ〜ｄには、ヒータ線５およびリード線７や、サーモスタット６のために凹溝が形成される。なお、図３では、ヒータ線５のための凹溝１５のみが示される。
【００２２】
また、木質基材１１の裏面には、コネクタ３，４の収容部を除いて、全面に緩衝材１８が貼り付けられており、この例において、緩衝材１８は、クッション材としての不織布層１６と断熱材として機能する軟質樹脂発泡体層１７との２層構成であり、軟質樹脂発泡体層１７が外側となるようにして木質基材１１の裏面側に面して貼り付けられている。さらに、図３には示されないが、各単位ピース１４の裏面には、凹溝１５に交差するようにして単位ピース１５の短辺に平行な多数の遮音溝が形成されている。このような構成を備えることにより、床暖房用ヒータパネル１０を敷き詰めた電気式床暖房フロアは高い遮音機能を備えることことに加えて、高い歩行感と高い断熱性も得られる。
【００２３】
図４は、本発明による床暖房用ヒータパネルの他の例を示している。この例では、木質基材１１の裏面にヒータ回路を収容するための凹所２１が形成されている。また、木質基材１１の表面には、突板または化粧シート等の表面化粧材２２が好ましくは積層される。前記凹所２１には、ウレタン発泡体のような適宜の断熱材２３が挿入、固定される。断熱材２３の表面は、図１に示した木質基材１１の裏面側と同様、長手方向の４つのゾーンに分けられており、各ゾーンには、図１に示したと同様にして、ヒータ線５およびリード線７や、サーモスタット６が埋め込まれる。なお、図４では、ヒータ線５とサーモスタット６のみが示される。
【００２４】
上記の床暖房用ヒータパネル１０，１０Ａでは、いずれかの箇所において熱閉塞が発生したときに、そこに最も近い位置にあるサーモスタット（図１において、サーモスタット６ｂと仮定する）が作動し、該サーモスタット６ｂを備えたゾーンｂに配置した独立したヒータ回路のみが給電断の状態となり、他のゾーンの３つの独立したヒータ回路には給電が継続し暖房状態がそのまま維持される。そのために、サーモスタット６ｂの作動でのヒータがＯＮ／ＯＦＦは、ゾーンｂのヒータ線５ｂだけとなり、他の３つのゾーンａ，ｃ，ｄでのヒータ線５ａ，５ｃ，５ｄでは、ヒータのＯＮ／ＯＦＦは生じない。それにより、ヒータのＯＮ／ＯＦＦによって不快を感じる程度を、１つのヒータ回路で形成されている従来の床暖房用ヒータパネルと比較して、大きく低減することができる。
【００２５】
さらに、本発明による床暖房用ヒータパネル１０では、１枚の床暖房用ヒータパネルに流れる総電流量は４つの複数の独立したヒータ回路に分割されるので、各独立したヒータ回路を流れる電流量はそれぞれ１／４となり、従来の１回路構成のヒータ回路を持つ床暖房用ヒータパネルと比較して、電磁波発生量も抑制される。
【００２６】
また、前記各独立したヒータ回路は等しい発熱量を持つように、４つの独立したヒータ回路でのヒータ線５ａ〜５ｄとして、単位長さ当たりの抵抗値が等しくかっ長さの等しいヒータ線を用いている。この態様では、１枚の床暖房用ヒータパネル内において、ほぼ均等な加熱状態を得ることができる。さらに、図１に示すような、ヒータ４分割の全面ヒータパネルである床暖房用ヒータパネル１０と、図２に示すような、ヒータ２分割の半面ヒータパネルである床暖房用ヒータパネル１０Ａを、同じヒータ線５を用いて作ることができる。図示しないが、独立したヒータ回路が１個のみの床暖房用ヒータパネル、および独立したヒータ回路が３個の床暖房用ヒータパネルも、同じヒータ線５を用いて作ることができる。それにより、床暖房の施工現場の状況に合わせて、各形態の床暖房用ヒータパネルを適宜組み合わせ、最も好適な床暖房フロアを施工することが可能となる。
【図面の簡単な説明】
【００２７】
【図１】本発明による床暖房用ヒータパネルのヒータ回路の一例を説明するための図。
【図２】本発明による床暖房用ヒータパネルのヒータ回路の他の例を説明するための図。
【図３】本発明による床暖房用ヒータパネルの一例を断面で示す図。
【図４】本発明による床暖房用ヒータパネルの他の例を断面で示す図。
【符号の説明】
【００２８】
１，２…電源線、
３，４…コネクタ、
５…ヒータ線、
６…サーモスタット、
７…リード線、
１０，１０Ａ…床暖房用ヒータパネル、
１１…木質基材、
１４…単位ピース、
１５…ヒータ線のための凹溝、
１６…クッション材としての不織布層、
１７…断熱材として機能する軟質樹脂発泡体層、
１８…緩衝材、
２１…ヒータ回路を収容するための凹所、
２２…表面化粧材、
２３…断熱材。
【図１】
2010151408.tif 000003
【図２】
2010151408.tif 000004
【図３】
2010151408.tif 000005
【図４】
2010151408.tif 000006